(57)【特許請求の範囲】
【請求項１】
軒樋の底部を保持する受け式の軒樋支持具本体を有した構成とされ、
上記軒樋支持具本体は、上記軒樋を受ける受け体と、該受け体の基端部を下方に延設してなる取り付け片と、該取り付け片の下端部より横方向に延びるよう固着されたスライド板片とを備え、該スライド板片を、軒部等に固着した取り付け部材に設けた横方向に開口したスライド溝部に対して、スライド自在に取り付け、取り外しできる構造となっている一方、
上記軒樋支持具本体の上端部には、軒樋の浮き上がりを防止する押さえ部材を軒樋に対して押圧・離脱自在に取り付けてあり、上記押さえ部材は、上記軒樋支持具本体の基部側に固定された板片状の押さえ基部と、この押さえ基部の前端部に、回動自在に取り付けされた細板状の回動部とを備え、該回動部の先端が上記軒樋支持具本体の前端部に着脱自在に取り付けされる構造となっていることを特徴とする軒樋支持具。
【発明の詳細な説明】
【技術分野】
【０００１】
本発明は、軒樋を保持する軒樋支持具の改良に関する。
【背景技術】
【０００２】
一般に、軒樋を保持する軒樋支持具は、軒樋を保持する軒樋支持具本体と、この軒樋支持具本体を軒部等に取り付けるための取り付け部材とを備えており、軒樋支持具本体の基部が取り付け部材にカシメ止め、溶接等によって固着されることで、軒部等に固定されている（例えば、特許文献１参照）。なお、特許文献１に記載された軒樋支持具は、軒樋支持具本体が支持体と取付杆とよりなり、この取付杆の基端部が軒樋支持具本体の基部を構成している。
【先行技術文献】
【特許文献】
【０００３】
【特許文献１】特開２００５−７６３６２号公報
【発明の概要】
【発明が解決しようとする課題】
【０００４】
しかしながら、上述の特許文献１に開示された軒樋支持具では、例えば山小屋等において、冬季の積雪時に雪による軒樋支持具本体および軒樋の損傷を避けるために、軒樋支持具本体および軒樋を取り外そうとした場合、軒樋を取り外すことができても、軒樋支持具本体は取り付け部材に固着されているため容易に取り外すことができなかった。
【０００５】
また、軒樋だけを取り外すことができた場合であっても、軒樋支持具本体が軒先より突出した状態で軒部等に残ってしまうため、軒樋支持具本体が雪により損傷し、かつ外観がきわめて悪くなっていた。
【０００６】
本発明は上記事情に鑑みてなされたものであり、軒樋支持具本体を容易に取り外し、取り付けができる軒樋支持具を提供することを目的としている。また、軒樋自体の取り外し、取り付けを容易にできるようにすることも本発明の目的に含まれる。
【課題を解決するための手段】
【０００７】
上記目的を解決するために、請求項１に記載の軒樋支持具は、軒樋の底部を保持する受け式の軒樋支持具本体を有した構成とされ、軒樋支持具本体は、軒樋を受ける受け体と、該受け体の基端部を下方に延設してなる取り付け片と、該取り付け片の下端部より横方向に延びるよう固着されたスライド板片とを備え、該スライド板片を、軒部等に固着した取り付け部材に設けた横方向に開口したスライド溝部に対して、スライド自在に取り付け、取り外しできる構造となっている一方、軒樋支持具本体の上端部には、軒樋の浮き上がりを防止する押さえ部材を軒樋に対して押圧・離脱自在に取り付けてあり、押さえ部材は、軒樋支持具本体の基部側に固定された板片状の押さえ基部と、この押さえ基部の前端部に、回動自在に取り付けされた細板状の回動部とを備え、該回動部の先端が軒樋支持具本体の前端部に着脱自在に取り付けされる構造となっていることを特徴とする。
【０００８】
（削除）
【０００９】
（削除）
【００１０】
（削除）
【発明の効果】
【００１１】
請求項１に記載の軒樋支持具によれば、軒樋支持具本体の基部を取り付け部材のスライド溝部に横方向からスライド自在に取り付ける構造となっているので、山小屋等において、冬季の積雪時等に、軒樋支持具本体を横方向にスライドさせて取り付け部材から容易に取り外すことができる。そのため、雪によって軒樋および軒樋支持具本体が損傷する恐れがなく、軒樋および軒樋支持具本体を長期使用することが可能になる。
【００１２】
他方、山小屋等において、無積雪時等には軒樋支持具本体および軒樋を取り付けて雨水の排水が可能になる。
【００１３】
軒樋を取り外した後に、軒樋支持具本体も取り付け部材から取り外すことができるので、軒部等には取り付け部材しか残らない。そのため、軒部等の良好な外観が維持できる。
【００１４】
また、軒樋は、一般に水勾配を考慮して傾斜させて軒部等に取り付けられるので、軒樋の上流側は、屋根との間の上下方向のスペースに余裕が無いことが多い。そのため、このような上下方向のスペースに余裕の無い場所では、上下方向の軒樋支持具本体の取り外し、取り付け操作は困難であったが、請求項１に記載の軒樋支持具は、特に軒樋支持具本体の基部（軒樋支持具本体の基端部の下方に取り付けたスライド板片）を取り付け部材のスライド溝部に対して横方向にスライドさせて取り外し、取り付けできるので、取り付け部材に対する軒樋支持具本体の取り外し、取り付けは容易に行える。
【００１５】
さらに、受け式の軒樋支持具本体に対して、軒樋支持具本体の上端部に軒樋の浮き上がりを防止する押さえ部材を押圧・離脱自在に取り付けているので、受け式の軒樋支持具本体において、軒樋を押さえ部材で押圧して確実に軒樋支持具本体に保持することができる。また、押さえ部材を軒樋から離脱させて容易に軒樋を取り外すこともできるので、軒部等に対する軒樋の着脱も容易に行える。
【００１６】
また、押さえ部材に備えた回動部が、先端を軒樋支持具本体の前端部に着脱自在に取り付ける構造とされているので、回動部を回動させるだけで軒樋の着脱を容易にでき、回動部を軒樋支持具本体に固定しているときには軒樋をより確実に軒樋支持具本体に保持することができる。
【００１７】
（削除）
【図面の簡単な説明】
【００１８】
【図１】本発明の軒樋支持具の第１実施形態を示す斜視図である。
【図２】図１の軒樋支持具の側面図である。
【図３】図１の軒樋支持具の正面図である。
【図４】取り付け部材に対する軒樋支持具本体の着脱状態を示す斜視図である。
【図５】軒樋支持具本体の取り付け部材に対する着脱状態を示す説明図であり、（ａ）は正面図を、（ｂ）は要部断面図を示している。
【図６】図１の軒樋支持具の平面図である。
【図７】本発明の軒樋支持具の第２実施形態（参考例）を示す側面図である。
【発明を実施するための形態】
【００１９】
以下、添付図面を参照しながら本発明の実施形態について説明する。
【００２０】
図１は、本発明の軒樋支持具の第１実施形態を示す斜視図であり、図２は、図１の軒樋支持具の側面図である。また、図３は、図１の軒樋支持具の正面図である。図４は、取り付け部材に対する軒樋支持具本体の着脱状態を示す斜視図である。また、図５は、軒樋支持具本体の取り付け部材に対する着脱状態を示す説明図であり、（ａ）は正面図を、（ｂ）は要部断面図を示している。図６は、図１の軒樋支持具の平面図である。
【００２１】
図１および図２に示すように、本実施形態の軒樋支持具１は、山小屋等の軒部２等において断面略半円形状の軒樋３を保持する支持具であり、軒樋３を保持する軒樋支持具本体４と、この軒樋支持具本体４を軒部２等に取り付ける取り付け部材５と、軒樋３を上方より押さえる押さえ部材６とを備えており、特に、軒樋支持具本体４を、横方向にスライドさせて、軒部２等に取り付ける取り付け部材５に着脱自在に取り付けるように構成されている。
【００２２】
まず、軒樋支持具本体４および取り付け部材５の各部の構成と、それらの取り付け構造について説明する。なお、押さえ部材６については、図６にて後述する。
【００２３】
ここで、軒樋支持具本体４は、軒樋３の底部を保持する受け式の軒樋支持具本体で構成されている。すなわち、軒樋支持具本体４は、金属板材、合成樹脂材料等に成形して断面略半円形状の軒樋３の底面形状に沿うように形成された受け体４ａによって軒樋３の底部を保持することができるようになっている。
【００２４】
この軒樋支持具本体４は、さらに、受け体４ａの基端部を下方に延設してなる取り付け片４ｂと、その取り付け片４ｂの下端部に、横方向に溶接等で固着された、基部を構成するスライド板片４ｃとを備えた構成とされ、図３〜図５に示すように、このスライド板片４ｃが、軒部２等に固着した取り付け部材５に形成されたスライド溝部５ａに、スライド自在に取り付けられて、軒樋支持具本体４が取り外し可能に固定されている。
【００２５】
一方、取り付け部材５は、図４と、図５（ａ）に示すように、４個のビス５ｂ等により軒部２等に固着されて、横方向に開口するスライド溝部５ａを備えた断面縦ハット形の取り付けブロックを構成している。
【００２６】
また、軒樋支持具本体４の基部（スライド板片４ｃ）には、２個の六角ナット４ｄが溶接等で固着されており、軒樋支持具本体４のスライド板片４ｃを横方向から挿入するとともに、２個の六角ボルトからなる固定具５ｃを孔５ｄを通してスライド板片４ｃの六角ナット４ｄに締めこむことにより、取り付け部材５に軒樋支持具本体４の基部を着脱自在に保持することができるようになっている。
【００２７】
このように、取り付け部材５は、軒樋支持具本体４の基部を、取り付け部材５のスライド溝部５ａに、スライド自在に取り付けることができるように構成されている。
【００２８】
このように、軒樋支持具本体４の基部を取り付け部材５のスライド溝部５ａにスライド自在に取り付ける構造となっているので、山小屋等において、冬季の積雪時等に、軒樋支持具本体４を取り付け部材５から容易に取り外すことができる。そのため、雪のために軒樋３および軒樋支持具本体４が損傷する恐れがなく、軒樋３および軒樋支持具本体４を長期使用することが可能になる。
【００２９】
他方、山小屋等において、無積雪時等には軒樋支持具本体４および軒樋３を取り付けて雨水の排水が可能になる。
【００３０】
また、軒樋３を取り外した後に軒樋支持具本体４も取り付け部材５から取り外すことができるので、軒部２等には取り付け部材５しか残らない。そのため、軒部２等の良好な外観が維持できる。
【００３１】
さらに、軒樋３は、一般に水勾配を考慮して傾斜させて軒部等に取り付けているので、軒樋３の上流側は、屋根との間の上下方向のスペースに余裕が無いことが多いが、この軒樋支持具１の構成によれば、軒樋支持具本体４の基部を取り付け部材５のスライド溝部５ａに対して横方向にスライドさせて取り外し、取り付けできるので、このような上下方向のスペースに余裕の無い場所でも、軒樋支持具本体４を横方向にスライドさせるだけで、取り付け部材５に対する軒樋支持具本体４の取り外し、取り付けが容易に行える。また、取り付け片４ｂの下端にスライド板片４ｃが形成されているので、スライド操作は取り付け片４ｂを持つことでたやすく行える。
【００３２】
ついで、押さえ部材６について、図１の軒樋支持具１の平面図を示した図６を参照しながら説明する。
【００３３】
押さえ部材６は、軒樋支持具本体４の上端部に、軒樋３に対して押圧・離脱自在に取り付けられている。
【００３４】
すなわち、この押さえ部材６は、軒樋支持具本体４に溶接等により取り付けられた板片状の押さえ基部６ａと、この押さえ基部６ａの前端に、リベット６ｂを介して水平に回動自在に設けられた細板状の回動部６ｃとを備え、回動部６ｃの先端に設けられた切り欠き部６ｄを、軒樋支持具本体４の前端部に設けられた押さえ部材固定具７に嵌合させて固定することにより、軒樋支持具本体４に着脱自在に取り付けるように構成されている。
【００３５】
そして、この押さえ基部６ａに対して回動部６ｃを水平方向に回動させることにより、軒樋３を軒樋支持具本体４に収納したり離脱させたりすることが可能になっている。
【００３６】
ここで、押さえ部材固定具７は、ボルト７ａと、蝶ナット７ｂと、蝶ナット７ｂの上面部および下面部に添設するＥ形止め輪７ｃと、スプリングワッシャ７ｅと、座金７ｄとを備えており、回動部６ｃの切り欠き部６ｄを挿通するボルト７ａに対して蝶ナット７ｂを締めこむことにより、回動部６ｃの先端を軒樋支持具本体４の先端に固定することができるように構成されている（図２参照）。
【００３７】
このように、軒樋支持具本体４の上端部に、軒樋３の浮き上がりを防止する押さえ部材６を押圧・離脱自在に取り付けているので、本実施形態のように受け式の軒樋支持具本体４において、軒樋３を押さえ部材６で押圧して確実に軒樋支持具本体４に保持することができる。また、押さえ部材６を軒樋３から離脱させて容易に軒樋３を取り外すこともできるので、軒部２等に対する軒樋３の着脱も容易に行える。
【００３８】
また、押さえ部材６に備えた回動部６ｃが、先端を軒樋支持具本体４の前端部に着脱自在に取り付ける構造とされているので、回動部６ｃを回動させるだけで軒樋３の着脱を容易にでき、回動部６ｃを軒樋支持具本体４に固定しているときには軒樋３をより確実に軒樋支持具本体４に保持させることができる。
【００３９】
また、軒樋支持具本体４が、受け式の軒樋支持具本体４よりなるので、軒樋３の設置条件として軒樋３を軒樋支持具本体４の上にした方が適している。
【００４０】
上述した実施の形態は本発明の好ましい具体例を例示したものに過ぎず、本発明は上述した実施の形態に限定されない。
【００４１】
例えば、本実施形態の軒樋支持具１が適用される場所は、必ずしも山小屋の軒部に限らない。軒樋支持具１を取り付け可能な軒部であれば、種々の建物の軒部に適用可能である。
【００４２】
また、本実施形態の軒樋支持具１は、必ずしも断面半円形状の軒樋３を保持するものに限らない。例えば断面角溝形状の軒樋であってもよく、軒樋の形状については種々の設計変更が可能である。
【００４３】
（削除）
【００４４】
また図７は、本発明の軒樋支持具の第２実施形態（参考例）を示す側面図である。以下の説明では、本発明の上記第１実施形態にかかる軒樋支持具１と同様の部分には同一の符号を付し、重複する説明を省略するものとする。
【００４５】
図７に示すように、本実施形態にかかる軒樋支持具２１は、軒樋支持具本体２４が、軒樋２３上端の耳部２３ａ、２３ｂを保持して吊り下げる吊り式の軒樋支持具本体で構成されている。
【００４６】
この実施形態では、軒樋２３は、軒樋２３の一方の上端に形成された耳部２３ｂ（前耳部）を軒樋支持具本体２４に設けられた一方の係止部２８ｂに係止するとともに、軒樋２３の他方の上端に形成された耳部２３ａ（後耳部）を軒樋支持具本体２４の他方の係止部２８ａに係止することにより、軒樋支持具本体２４が、軒樋２３上端の耳部２３ａ、２３ｂを保持して吊り下げることができるように、構成されている。なお、図中において、２９は板ばね材よりなる抜け止め部材であり、軒樋２３の耳部２３ａ（後耳部）を係止させる際には、この抜け止め部材２９を押し上げるようにして装着することができる。
【００４７】
このような構成によれば、軒樋支持具本体２４が、吊り式の軒樋支持具本体よりなるので、軒樋の設置条件として軒樋を軒樋支持具本体２４で吊り下げて保持する場合に好適である。
【００４８】
なお、取り付け部材５に対する軒樋支持具本体２４の取り付け片４ｂの取り付け構造は、上記第１実施形態と同様であるため、詳細構造および効果については説明を省略する。
【００４９】
以上の２つの実施形態では、六角ナット４ｄで軒樋支持具本体４の基部を取り付け部材５に固定するようにしているが、このものには限定されない。取り付け部材５に軒樋支持具本体４、２４の基部を着脱自在に保持するように構成されていれば、単に軒樋支持具本体４、２４の基部のボルト孔にボルトを締めこむように構成されたものでもよいし、基部をボルトの押圧のみで固定するように構成されたものでもよい。
【００５０】
また、押さえ部材６の回動部６ｃは水平方向に回動できるものに限られず、起倒自在に開閉回動できるものでもよい。
【００５１】
また、吊り式の軒樋支持具においては、軒樋支持具本体が、軒樋を吊り支持する支持体と、取り付け部材に取り付ける取付杆とをスライド可能に連結して、軒樋の出具合調整ができるように構成されたものであってもよい。この場合、取付杆の基端部には取り付け片が形成され、その下端に、軒樋支持具本体の基部を構成するスライド板片が固着される。なお、受け式の軒樋支持具において、軒樋支持具本体が、軒樋を吊り支持する支持体と、取り付け部材に取り付ける取付杆との組合せで構成されるものにも、本発明の適用は可能である。
【符号の説明】
【００５２】
１、２１  軒樋支持具
２        軒部
３、２３  軒樋
４、２４  軒樋支持具本体
４ａ      受け体
４ｂ      取り付け片
４ｃ      スライド板片（基部）
４ｄ      六角ナット
５        取り付け部材
５ａ      スライド溝部
６        押さえ部材
６ａ      押さえ基部
６ｃ      回動部
７        押さえ部材固定具
【図１】
0005443074.tif 000002
【図２】
0005443074.tif 000003
【図３】
0005443074.tif 000004
【図４】
0005443074.tif 000005
【図５】
0005443074.tif 000006
【図６】
0005443074.tif 000007
【図７】
0005443074.tif 000008